(57)【要約】【課題】本物の水生昆虫等に酷似した外観と体色模様が付与された擬餌鉤を簡単な製作方法によって得ることができる、擬餌鉤用素材及び擬餌鉤を提供する【解決手段】釣鉤にスレッド１１を巻きつけ、コックネックファイバー１２を固定し、更にスレッド１１にダビング材１３を縒りつけながらダンの腹部の外観形状を形成し、次にダビング材１３の表面に擬餌鉤用素材１を巻回して腹部の形に整えて、続いてダンの胸部箇所にハックル１４及びフェザー１５を取り付け、ダビング材１３を縒りつけたスレッド１１によりダンの腹部の外観形状を形成の上、上記同様に擬餌鉤用素材１を巻回してダンの胸部を形成し、更にまた、スレット１１をハックル１４及びフェザー１５に巻回して全体の形を整える。【選択図】図８
2008086260.tif 000002
【特許請求の範囲】
【請求項１】
イミテーションフライにおいて擬餌用小動物の胸部、腹部等の外観形状を形成するダビング材の表面をラッピィングするラップ材として使用されるものであり、片面が滑り止処理が成される共に半透明である薄手のＰＶＣシートを所定幅にカッティングして得た帯状シートを水溶性顔料から成る染料液に浸漬し、次に当該帯状シートを取り出して乾燥したことを特徴とする、擬餌鉤用素材。
【請求項２】
釣鉤にスレッドを巻きつけ、固定した上、更にスレッドやテンセルに各種ダビング材、羽毛、更に擬餌用小動物の胸部、腹部等の外観形状を形成するダビング材の表面をラッピィングするラップ材として、片面が滑り止処理が成される共に半透明である薄手のＰＶＣシートを所定幅にカッティングして得た帯状シートを水溶性顔料から成る染料液に浸漬し、次に当該帯状シートを取り出して乾燥した擬餌鉤用素材を適宜併用しながら巻き付けて、上記擬餌用小動物の頭部、胸部、腹部等の形に整えて当該擬餌用小動物に酷似した外観と体色模様に形成したことを特徴とする、擬餌鉤。
【発明の詳細な説明】
【技術分野】
【０００１】
本発明は、フライフィッシングに使用される擬餌鉤用素材及び擬餌鉤に関し、特に、擬餌の形状がカワゲラやカゲロウに代表される水生昆虫やその幼虫、あるいは水辺に生息する蟻やバッタの陸生昆虫、クモ等といった川釣り用餌となる小動物の外観及び体色模様に酷似した擬餌鉤用素材及びに係るものである。
【背景技術】
【０００２】
近年、川釣りの中でもフライフィッシングが人気を集めている。このフライフィッシングは、欧米式の毛鉤釣りにルーツが求められ、主に渓流に生息する山女、岩魚、虹鱒等が昆虫を盛んに捕食する習性を利用し、捕食に適した昆虫の外観及び体色に近似した擬餌鉤を魚を驚かせることなくその付近の水面上や水中に投入し、これを魚に捕食させて釣り上げるという手法を指す。また、この擬餌鉤には、その外観形状から特に上記魚類が最も好みとしている水生昆虫等にできる限り酷似して製作されるイミテーションと呼称されるタイプの擬餌鉤と、オリジナルのイメージを抽象的に表現して製作されたファンシーと呼称されるタイプの擬餌鉤があり、更には、水面に浮かせて使用するタイプのドライタイプ、水中に沈めて使用するウェットタイプに大別される。その製作は、目的とする水生昆虫等の外観形状に従い、スレッド、テンセルを使用し釣鉤に各種のダビング材、羽毛、透明あるいは半透明なシートその他の素材を巻きつけ又は取り付けるなどの細かな作業となる。
【０００３】
また、フライフィッシングにおける擬餌鉤の選択は、場所や季節によって全く異なると知られており、そこに生息する魚類がその時点に食している餌を推測し、その餌にどれだけ酷似した擬餌鉤を使用して釣りを行なうかによって釣果が決定するとまで言われている。一方、従来釣具店には、これらの需要に応えるべくイミテーションフライにおいて様々な種類の既製品が提供されているが、今ひとつ酷似度合いに課題があって、釣人の満足を得るところには至っていないと考えられる。そこで、これらの事情から、既製品に飽き足らない釣人の中には、自らオリジナルの擬餌鉤を製作して使用しているケースも見受けられ、そのために擬餌鉤製作の手引書も多数出版されるに至っている。更に続いて、近年これらの釣人の強い要望に対応して、透光性の基材と、該基材に接着せしめられた撥水性を有する微毛とを有することを特徴とする擬餌鉤用素材と該素材によってカゲロウ、トビゲラ、カワゲラ等の水生昆虫に酷似した擬餌鉤の製作に関する発明等が提案されている。即ち、特開平４−６６０３７号に係る「擬餌鉤用素材及び擬餌鉤」の擬餌鉤は、鉤と擬似餌と具備し、該擬似餌の少なくとも一部が、透光性のシート状基材と、該シート状基材に接着せしめられ、撥水剤が付着せしめられた微毛とを備えており、該シート状基材が、透光性の２枚のプラスチックフィルムと、該２枚のプラスチックフィルムを接着し、且つ着色して模様を形成せしめる接着剤とを有することを要旨とするものであった。
【特許文献１】特開平４−６６０３７号
【発明の開示】
【発明が解決しようとする課題】
【０００４】
而して、上記特開平４−６６０３７号に係る発明によれば、微毛はシート状基材に接着剤によって接着されているものであると共に主要部分においてシート状基材から離れているのが好ましい。また、該微毛は太さ０．００１〜０．５ミリメートル、好ましくは０．０５ミリメートル以下であり、長さ０．５〜２０ミリメートルであると記載されてあり、極めて細密な製作工程に基くものと言わなければならない。このように、フライフィッシングにおける楽しみとしては、極めて細密な製作工程によってリアルな擬餌鉤を得ることも含まれるものであることは認められるとしても、これらの上記擬餌鉤を製作するには各人の器用さや長時間に亘る技術の積み重ねが必要であるという欠点がある。
【０００５】
そこで、本発明者は上記従来の技術等に鑑み、長年の研究の末に本発明に到達したものであり、本発明の目的はフライフィッシングに使用されるイミテーションフライにおいて極めて本物の水生昆虫等に酷似した外観と体色模様が付与された擬餌鉤を簡単な製作方法によって得ることができる、擬餌鉤用素材及び擬餌鉤を提供することにある。
【課題を解決するための手段】
【０００６】
しかして、本発明に係るは、上記目的を達成するため以下の構成より成るものである。
【０００７】
即ち、本発明に係る擬餌鉤用素材は、イミテーションフライにおいて擬餌用小動物の胸部、腹部等の外観形状を形成するダビング材の表面をラッピィングするラップ材として使用されるものであり、片面が滑り止処理が成される共に半透明である薄手のＰＶＣシートを所定幅にカッティングして得た帯状シートを水溶性顔料から成る染料液に浸漬し、次に当該帯状シートを取り出して乾燥したものであることを第一の要旨とする。この際、上記水溶性顔料は市販のものを使用することができる一方、上記擬餌鉤用素材はカラーバリエーションを付与するため複数色から構成されるものとする。
【０００８】
更に、本発明に係る擬餌鉤は、釣鉤にスレッドを巻きつけ、固定した上、更にスレッドやテンセルに各種ダビング材、羽毛、更に擬餌用小動物の胸部、腹部等の外観形状を形成するダビング材の表面をラッピィングするラップ材として、片面が滑り止処理が成される共に半透明である薄手のＰＶＣシートを所定幅にカッティングして得た帯状シートを水溶性顔料から成る染料液に浸漬し、次に当該帯状シートを取り出して乾燥した擬餌鉤用素材を適宜併用しながら巻き付けて上記擬餌用小動物の頭部、胸部、腹部等の形に整えて当該擬餌用小動物に酷似した外観と体色模様に形成したことを第二の要旨とする。
【発明の効果】
【０００９】
本発明に係る擬餌鉤用素材は、前述のように、片面が滑り止処理が成される共に半透明である薄手のＰＶＣシートを硬板上に水貼し、所定幅にカッティングして得た帯状シートを水溶性顔料から成る染料液に浸漬し、次に当該帯状シートを取り出して乾燥したものである。この結果、本発明に係る擬餌鉤用素材は滑り止処理がされていない面側は艶を有した着色面となるのに対して、滑り止処理がされている面側は艶消し様とすることができる。更に、市販の水性顔料の例えば、１２色を用いて上記方法により擬餌鉤用素材を製作すると、当該素材の表裏面の別によって艶の有無により全部で２４種類のカラーバリエーションから成る擬餌鉤用素材を得ることができるという効果がある。続いて、本発明に係る擬餌鉤用素材は、市販の水性顔料を適宜組み合わせて着色することができるから、更に詳細なカラーバリエーションから成る素材体系品を構成することができ、それより適宜選択して擬餌用小動物の胸部、腹部等に近似した色合いの素材を使用すれば、極めて本物の擬餌用小動物に酷似した体色を得ることができるという効果がある。
【００１０】
また、本発明に係る擬餌鉤において、擬餌鉤用素材の滑り止処理がされていない面側はその材質からしっとりとした癒着性を有していることから、擬餌鉤の製作の際のダビング材によって擬餌用小動物の胸部、腹部等の基本的外観が形成された後、当該擬餌鉤用素材をラップ材として横方向に重ねずらしながら巻回した場合、密着性、撥水性が極めて高いことから、擬餌鉤内部に水が浸漬し浮揚性が損なわれるという支障や釣り上げた魚等の血液によるヌルが擬餌鉤本体に付着するという支障も回避できるという効果もある。
【００１１】
続いてまた、本発明に係る擬餌鉤は、ダビング材によって基本的外観が形成された後、詳細なカラーバリエーションから成り半透明な前記擬餌鉤用素材をラップ材として横方向に重ねずらしながら巻回されることで、着色素材の重なり合った部分が濃く、重なり合わない部分が淡く現出されることから、擬餌用小動物の胸部、腹部等の縞模様がリアルに表現できると共に、ダビング材等で形成された水生昆虫の抱卵状態も前記擬餌鉤用素材から仄かに透けて見て取れる等、擬餌用小動物に酷似した外観と体色模様を再現することができるという効果もある。
【発明を実施するための最良の形態】
【００１２】
本発明に係る擬餌鉤用素材の最良の形態は、イミテーションフライにおいて擬餌用小動物の胸部、腹部等の外観形状を形成するダビング材の表面をラッピィングするラップ材として使用される擬餌鉤用素材であり、片面が滑り止処理が成される共に半透明である薄手のＰＶＣシートを硬板上に水貼し、所定幅にカッティングして得た帯状シートを水溶性顔料から成る染料液に浸漬し、次に当該帯状シートを取り出して乾燥することによって当該擬餌鉤用素材は得られるものであり、市販の水性顔料を適宜組み合わせて着色することができるから、詳細なカラーバリエーションから成る素材体系品を構成することができ、それより適宜選択して擬餌用小動物の胸部、腹部等に近似した色合いの素材を使用すれば、極めて本物の擬餌用小動物に酷似した体色を得ることができる。
【００１３】
本発明に係る擬餌鉤の最良の形態は、釣鉤にスレッドを巻きつけ、固定した上、更にスレッドやハックルに各種ダビング材、羽毛、更に擬餌用小動物の胸部、腹部等の外観形状を形成するダビング材の表面をラッピィングするラップ材として、片面が滑り止処理が成される共に半透明である薄手のＰＶＣシートを硬板上に水貼し、所定幅にカッティングして得た帯状シートを水溶性顔料から成る染料液に浸漬し、次に当該帯状シートを取り出して乾燥した擬餌鉤用素材を適宜併用しながら巻き付けて上記擬餌用小動物の頭部、胸部、腹部等の形に整えるものであり、ダビング材によって基本的外観が形成された後、詳細なカラーバリエーションから成る半透明な前記擬餌鉤用素材を適宜選択し横方向に重ねずらしながら巻回されることで、着色素材の重なり合った部分が濃く、重なり合わない部分が淡く現出されることから、擬餌用小動物の胸部、腹部等の縞模様がリアルに表現できると共に、ダビング材等で形成された水生昆虫の抱卵状態も前記擬餌鉤用素材から仄かに透けて見て取れる等、擬餌用小動物に酷似した外観と体色模様を再現することができる。
【実施例１】
【００１４】
以下、本発明の一実施例について説明するものとする。先ず、図１及び図２は本発明に係る擬餌鉤用素材の正面図及び右側面図である。
本発明に係る擬餌鉤用素材１は片面が滑り止処理が成される共に半透明である薄手のＰＶＣシートを硬板上に水貼し、所定幅にカッティングして得た帯状シートを水溶性顔料から成る染料液に浸漬し、次に当該帯状シートを取り出して乾燥したものを使用することができる。図１及び図２において、符号２は擬餌鉤用素材１の表面側２を、符号３は擬餌鉤用素材１の裏面側３が示している。ここで、擬餌鉤用素材１における片面滑り止処理は、公知のパウダー加工を採用することができると共に、上記水溶性顔料としては、市販のダイドーカラーを単色又は複数色混ぜ合わせて染色液とすることができる。更に、ＰＶＣシートの厚みについては、作業性が確保されれば特に限定するものではないが、経験則上０．１ミリメートル程度のものが好ましい。上記の処理によって、本発明に係る擬餌鉤用素材１は、滑り止処理がされていない表面側２は艶を有した着色面となるのに対して、滑り止処理がされている裏面側３は艶消し様とすることができる。
【００１５】
次に、本発明に係る擬餌鉤の構成の理解を助けるため、亜成虫の状態でのカゲロウを指称するダンについての擬餌鉤製作を通じて、その製造過程の各態様を図面を参照しながら詳述するものとする。そこで、図３はフライフィッシングに使用される一般的な釣針をバイス先端で挟持した際の概要図である。ここで、バイス１０は擬餌鉤を製作する際に釣針４を固定する道具であり、擬餌鉤製作においては一般的なものである。また更に、図中の釣針４の各部の呼称について説明すると、符号５はでティペットを結ぶための輪になっている部分アイ５であり、アイ５から後述のベンドまでの部分をシャンク６、シャンク６から後述のポイントまでの曲線の部分をベンド７、釣針４の先端部分をポイント８、更にカエシの部分をバーブ９と呼称している。
【００１６】
続いてまた、図４はテールとなるコックネックファィバーを釣針に取り付けた際の概要図である。図示のように、スレット１１をアイ５付近に取り付けベンド方向に下巻をし、次にテールとなるコックネックファイバー１２も同様にスレット１１で巻回して釣針４に取り付けるものとする。
【００１７】
そして図５は、スレットに縒りつけたボディ材を巻回してダンの腹部形状を形成した際の概要図である。ここでは、テール側まで巻回したスレット１１によって本発明に係る擬餌鉤用素材１を巻き固定し、次にボディ材１３を縒りつけながらダンの腹部が実際の外観形状に似せるようにテーパーを付けながら巻回して腹部の外観形状を整える。
【００１８】
続いて図６は、本発明に係る擬餌鉤用素材をダンの腹部に巻回した際の概要図である。図示のように、本発明に係る擬餌鉤用素材１をダンの腹部に巻回する。ここで、本発明に係る擬餌鉤用素材１は、水溶性顔料によって着色され片面が滑り止処理が成される共に半透明である薄手の帯状シートであり、図示のように当該帯状シートが巻き重なった部分は濃い色に、重ならない部分は着色時の色となるから、本物のダンの腹部及び胸部に現出されている縞模様を再現することができる。更に、本発明に係る擬餌鉤用素材１によって巻回する場合、目的の擬餌の体色に合わせて擬餌鉤用素材１の表面側又は裏面側を使い分けすることによって、艶の有る無しの変化を付与することもできると共に、当該帯状シートが巻き重なった部分は上面側又は下面側のいずれかが滑り止処理をしていない癒着性のある擬餌鉤用素材１の表面側となることから、巻回した相互のシートは密着度が高く水中における長時間の使用によっても擬餌鉤内部への水の浸入を防止することができる。
【００１９】
続いてまた、図７は本発明の擬餌鉤の胸部にハックル及びウィングを取り付けた際の概要図である。ここでは、先ず擬餌鉤の胸部にハックル１４、更にウィングとしてフェザー１５を２枚重ねて適当な箇所にスレット１１によって巻き止めるものとする。次に、スレット１１にボディ材１３を縒りつけながらダンの胸部の外観形状に似せるようにテーパーを付けながら巻回して外観形状を整えるものとする。
【００２０】
そして、図８は本発明の擬餌鉤の完成状態の概要図である。ここでは、先ず本発明に係る擬餌鉤用素材１をダンの胸部に巻回する。次に、スレット１１によりハックル１４をフェザー１５の後ろに２回、前に３回程巻き、続いて、フェザー１５の前でスレット１１を数回巻いてウィングを立たせるようにする。次に、スレット１１を結び公知のヘッドセメント等で接着した上でスレット１１を切断する。更に、ハックル１４、フェザー１５を適宜カットして全体の形を整えるようにして完成する。以上の実施例においては、カゲロウの亜成虫であるダンに基く擬餌鉤１６の製作について説明を行ったが、本発明に係る擬餌鉤が対象とする小動物は、上記ダンに限定されるものではなく、水性昆虫やその幼虫、あるいは水辺に生息する蟻やバッタの陸生昆虫、クモ等といった川釣り用餌全般を対象とするものである。
【産業上の利用可能性】
【００２１】
本発明に係る擬餌鉤用素材は、詳細なカラーバリエーションから成る素材体系品を構成することができるものであり、規格化して量産することが可能である。また、本発明に係る擬餌鉤は、基本的には手づくりではあるが、本物の水性昆虫等に似せる上で極めて重要となる体色模様を再現できるだけではなく、手順書に従い幾つかのパーツを順次組み合わせ、連続する１本のスレットを巻回しながら確実に製作できるものであるから、量産化が可能であると共に廉価に精巧な擬餌鉤を提供することができることから、その利用範囲は広い。
【図面の簡単な説明】
【００２２】
【図１】本発明に係る擬餌鉤用素材の正面図。
【図２】本発明に係る擬餌鉤用素材の右側面図。
【図３】フライフィッシングに使用される一般的な釣針をバイス先端で挟持した際の概要図。
【図４】テールとなるコックネックファィバーを釣針に取り付けた際の概要図。
【図５】スレットに縒りつけたボディ材を巻回してダンの腹部形状を形成した際の概要図。
【図６】本発明に係る擬餌鉤用素材をダンの腹部に巻回した際の概要図。
【図７】本発明の擬餌鉤の胸部にハックル及びウィングを取り付けた際の概要図。
【図８】本発明の擬餌鉤の完成状態の概要図。
【符号の説明】
【００２３】
１    擬餌鉤用素材
２    表面側
３    裏面側
４    釣針
５    アイ
６    シャンク
７    ベンド
８    ポイント
９    バーブ
１０  バイス
１１  スレット
１２  コックネックファィバー
１３  ボディ材
１４  ハックル
１５  フェザー
１６  擬餌鉤
【図１】
2008086260.tif 000003
【図２】
2008086260.tif 000004
【図３】
2008086260.tif 000005
【図４】
2008086260.tif 000006
【図５】
2008086260.tif 000007
【図６】
2008086260.tif 000008
【図７】
2008086260.tif 000009
【図８】
2008086260.tif 000010